(57)【要約】【課題】複数のスピーカユニットを適宜に組み合わせることによってフレームに歪が発生するのを防止し、高忠実度の再生音が得られるスピーカシステムを提供する。【解決手段】同一性能のスピーカユニット１、１を対称に配置して固定具２で固定する。固定具２の取り付け部にスピーカユニット１の駆動部が挿入され、周囲がネジで固定されている。エンクロージャへの取り付けは、固定具２に放射状の取り付け金具を設けてエンクロージャに取り付けたり、固定具２に脚を設けて取り付ける。【選択図】図１
2009135837.tif 000002
【特許請求の範囲】
【請求項１】
同一性能のスピーカユニットを対称に配置し、スピーカユニットの駆動部を保持するフレームを、スピーカ駆動によってフレームに作用する力を互いに打ち消すように全て相互に連結したスピーカシステム。
【請求項２】
請求項１において、対称位置のスピーカユニットが磁気回路を共有するスピーカシステム。
【発明の詳細な説明】
【技術分野】
【０００１】
本発明は、スピーカシステムに関し、スピーカの駆動に基づくフレームの変形及びエンクロージャ全体の揺れを解消し、忠実度の高い再生音が得られるようにした複数のスピーカユニットからなるスピーカシステムに関するものである。
【背景技術】
【０００２】
一般的なダイナミック型スピーカユニットは、エンクロージャに取り付けるためのフレーム、音響電気信号を空気の振動に変換する振動板、音響電気信号を振動に変換するボイスコイルとマグネット及びマグネットを保持するヨークから構成される。音響電気信号がボイスコイルに流れると磁気が発生し、マグネットによってボイスコイルに力が作用して振動板が振動する。
また、図９に示すように複数のスピーカを対称配置した無指向性スピーカシステムが知られている。（特許文献２参照）
【０００３】
【特許文献１】特開２００６−１８６７７８号公報
【特許文献２】特開平０７−０８７５８５号公報
【発明の開示】
【発明が解決しようとする課題】
【０００４】
スピーカユニットは、エンクロージャにフレームを介して取り付けられており、駆動時の振動板の振動の反作用によってフレームに力が作用して振動し、更にエンクロージャ自身を振動させることになり、余分なノイズを放射すると共に、スピーカの振動板が入力信号に忠実に振動するようにしっかりした支持をエンクロージャがしてくれないため、放射音にエンクロージャの振動の影響をノイズとして含んでしまい、入力信号に忠実な再生音が得られない。
【０００５】
スピーカユニット単体でこの問題を解決するために特許文献１（特開２００６−１８６７７８号公報）にあるように、フレームのブリッジを適宜の間隔をおいて外周部の内側に且つ中心線に交差する位置に配置してフレームの強度を向上させ、振動板の振動によって磁気回路に生じた振動をブリッジの取り付け部において減衰または消滅させることによって音質低下を防止することが提案されている。
本発明は、フレームを強化することなく、既存のスピーカユニットであってもフレームに歪が発生するのを防止し、高忠実度の再生音が得られるスピーカシステムを提供するものである。
【課題を解決するための手段】
【０００６】
同一性能のスピーカユニットを対称に配置し、スピーカユニットの駆動部を保持するフレームを全て相互に連結し、スピーカ駆動によってフレームに作用する力を互いに打ち消すようにしたスピーカシステムである。
【発明を実施するための最良の形態】
【０００７】
実施例
本発明の基本的概念を説明する。
図１に示すように、スピーカユニット１を固定する円筒形の固定具２によって同一性能のスピーカユニット１、１を対称に配置して固定する。固定具２の材質は特に限定されず、金属、合成樹脂など任意の材料を使用することができる。
固定具２は、スピーカユニット１の駆動部が固定される、剛性の高い、可聴域において共振をおこしにくいものであればよく、図１の例は、スピーカユニット１の基部が円筒形の固定具２に挿入し、周囲をネジで固定したものである。
【０００８】
図２は、固定具２の変形例である。
エンクロージャへの取り付けは、固定具２に放射状の取り付け金具を設けてエンクロージャに取り付けたり、固定具２に脚を設けて固定する。
このような状態で、直列あるいは並列に接続したスピーカユニットに音響電気信号を送ると、スピーカユニット全体としてみた場合、２個のユニットの振動板は互いに反対方向に駆動され、フレームに作用する力は互いに打ち消されるので、フレームが振動することがなく、再生音は高忠実度が維持されることになる。
【０００９】
図３は、無指向性スピーカシステムのように六面を有するエンクロージャ３に固定具２でスピーカユニットを対称に固定したものであり、３６０度全方向に音波が発せられる。固定具２は対向するスピーカユニット同士だけでなく、全スピーカユニットが一体となるように固定するものであり、適宜の手段でエンクロージャに固定される。
【００１０】
対称に配置するスピーカユニットの特性は、同一であることが前提であるが、永久磁石の経年変化はかなり大きく、しかも個体差が大きいので、フレーム振動を抑制する効果がだんだんと弱くなることが予想される。そこで、図４に示すように、磁気回路を共通にする、即ち永久磁石５を２個の振動板４で共有してボイスコイル６を駆動する方式にすることが好ましい。
【００１１】
図５は、本発明を指向性がほとんどない低域周波数帯を対象とした場合のマウントの状態を示すものであり、スピーカユニット１は固定具２で相互に連結されると共に、エンクロージャの前後方に音波を放射するように取り付けられている。
図６は、フルレンジの場合を示しており、低音用の場合と異なり指向性があるので、後方に向けたスピーカによって後方壁面での反射が不自然な音場再生を行ってしまうため、図６に示すように後方側のスピーカはキャビネットに固定せずに、前面側のスピーカに支持させた形態としてキャビネット内部に格納した状態とするのが好ましい。
前面に向けたスピーカと内部に格納されたスピーカの音響放射のインピーダンスが若干異なるが、低音域のフレーム振動の抑制には問題がない。
【００１２】
本発明の効果を確認するため以下に説明する試験をおこなった。
同一性能の２個のスピーカ（Fostex製のFE-127E）を互いのフレームを背中合わせに固定し、約５０ｃｍのテグスでこれらを吊り下げ、１〜２Ｗの正弦波（１００Ｈzと３００Ｈz）を入力し、エッジ周辺部のフレームの振動を６秒間測定した結果を図７及び図８に示す。
図中の「同相」とあるのが、一体化されたフレームから見て２個のスピーカの振動板が同時に外側に出る、あるいは内側に入るように振動するので、フレーム全体としては、振動板の振動による反作用が発生しない状況を示すものである。
【００１３】
実際には、スピーカの個体差、振動板が入力に完全に同期した振動をしないこと、高音域での分割振動などの要因により、フレームの振動が完全にゼロとはなっていない。
「逆相」は、片方の振動板がフレームから膨らむとき、もう一方がフレーム側に凹む状態となるように信号を入力した場合であり、一個のスピーカだけを吊り下げて同等の大きさの入力を与えて測定した状態とほぼ同じである。
以上の結果から、本発明がフレーム振動を抑制することが確認された。
【図面の簡単な説明】
【００１４】
【図１】本発明のスピーカシステムの概念図。
【図２】固定具の他の実施例の概念図。
【図３】本発明を無指向性スピーカシステムとした概念図。
【図４】磁気回路を共通とした実施例の概念断面図。
【図５】キャビネットへのマウントした状態の概念図（低音）。
【図６】キャビネットへのマウントした状態の概念図（フルレンジ）。
【図７】フレームの振動の測定グラフ（１００Ｈｚ）。
【図８】フレームの振動の測定グラフ（３００Ｈｚ）。
【図９】無指向性スピーカシステムの概念図。
【符号の説明】
【００１５】
１    スピーカユニット
２    固定具
３    エンクロージャ
【図２】
2009135837.tif 000003
【図３】
2009135837.tif 000004
【図４】
2009135837.tif 000005
【図５】
2009135837.tif 000006
【図６】
2009135837.tif 000007
【図９】
2009135837.tif 000008
【図１】
2009135837.tif 000009
【図７】
2009135837.tif 000010
【図８】
2009135837.tif 000011